(57)【特許請求の範囲】
【請求項１】
かご及び乗場間を連通する出入口の下部に配置され、上記出入口の間口方向へ延びる出入口床部材、
上記出入口床部材の上方に設けられ、上記出入口を開閉するためのエレベータドア、
上記出入口の間口方向へ延びる溝部が設けられ、上記出入口床部材の下方に設けられた敷居、及び
上記溝部に挿入される挿入体と、上記出入口床部材を跨ぐ形状とされ、上記エレベータドアと上記挿入体とを連結する連結部材とを有し、上記エレベータドアの下端部に設けられた戸の脚
を備え、
上記敷居には、上記出入口床部材から離れる方向への上記連結部材の変位を規制するためのストッパが設けられていることを特徴とするエレベータの出入口装置。
【請求項２】
上記連結部材の上記エレベータドアに対する位置は、調整可能になっており、
上記挿入体の上記溝部に対する位置は、上記連結部材の上記エレベータドアに対する位置の調整により、調整されるようになっていることを特徴とする請求項１に記載のエレベータの出入口装置。
【請求項３】
上記出入口床部材の剛性は、上記かご及び上記乗場の少なくともいずれか一方の床の剛性よりも高くなっていることを特徴とする請求項１又は請求項２に記載のエレベータの出入口装置。
【請求項４】
上記連結部材は、上下方向へ間隔を置いて配置された固定手段により上記エレベータドアに取り付けられていることを特徴とする請求項１乃至請求項３の何れかに記載のエレベータの出入口装置。
【請求項５】
上記連結部材には、上記連結部材を補強するための補強リブが設けられており、
上記連結部材の上記変位は、上記補強リブの上記ストッパへの当接により規制されるようになっていることを特徴とする請求項１乃至請求項４の何れかに記載のエレベータの出入口装置。
【発明の詳細な説明】
【技術分野】
【０００１】
この発明は、かご及び乗場間を連通するエレベータの出入口をエレベータドアにより開閉するエレベータの出入口装置に関するものである。
【背景技術】
【０００２】
従来のエレベータの出入口装置では、意匠性を向上させるために、ドアを案内するためのシル枠体が床表面よりも下方に配置されることがある。ドアの下部には、床を避けて鉛直下向きへ延びる底部エッジが固定されている。シル枠体のスロット内には、ドアの移動方向へ移動可能な下部ドアガイドが配置されている。下部ドアガイドには、底部エッジへ向けて水平に延びる案内保持ブラケットが固定されている。案内保持ブラケットは、床表面の下方で底部エッジに接続されている（特許文献１参照）。【０００３】
【特許文献１】特許第３０６１７５１号公報
【発明の開示】
【発明が解決しようとする課題】
【０００４】
しかし、このような従来のエレベータの出入口装置では、ドアに固定された底部エッジが延びる方向は鉛直下向きとなっているので、下部ドアガイドを底部エッジに取り付けるために、水平に延びる案内保持ブラケットが必要になる。このことから、部品点数が多くなってしまい、製造コストの低減化を図ることができなくなってしまう。【０００５】
この発明は、上記のような課題を解決するためになされたものであり、意匠性の向上を図ることができるとともに、部品点数を少なくすることにより製造コストを低減することができるエレベータの出入口装置を得ることを目的とする。
【課題を解決するための手段】
【０００６】
この発明によるエレベータの出入口装置は、かご及び乗場間を連通する出入口の下部に配置され、出入口の間口方向へ延びる出入口床部材、出入口床部材の上方に設けられ、出入口を開閉するためのエレベータドア、出入口の間口方向へ延びる溝部が設けられ、出入口床部材の下方に設けられた敷居、及び溝部に挿入される挿入体と、出入口床部材を跨ぐ形状とされ、エレベータドアと挿入体とを連結する連結部材とを有し、エレベータドアの下端部に設けられた戸の脚を備え、敷居には、出入口床部材から離れる方向への連結部材の変位を規制するためのストッパが設けられている。
【図面の簡単な説明】
【０００７】
【図１】この発明の実施の形態１によるエレベータの出入口装置を示す正面図である。
【図２】図１のII-II線に沿った断面図である。
【図３】この発明の実施の形態２によるエレベータの出入口装置を示す要部断面図である。
【発明を実施するための最良の形態】
【０００８】
以下、この発明の好適な実施の形態について図面を参照して説明する。
実施の形態１．
図１は、この発明の実施の形態１によるエレベータの出入口装置を示す要部正面図である。また、図２は、図１のII-II線に沿った断面図である。なお、図１は、昇降路側から乗場側を見たときのエレベータの出入口装置を示す要部正面図である。図において、乗場１の床には、化粧板としての床板２が設けられている。また、乗場１と昇降路３との間には、乗場１と昇降路３とを連通する乗場出入口４が設けられている（図２）。【０００９】
乗場１の床には、乗場１から昇降路３側へ延びる支持部材５がアンカーボルトにより固定されている。支持部材５には、乗場出入口４の下部に設けられた出入口床部材６が固定されている。出入口床部材６は、床板２の端部に配置されている。また、出入口床部材６は、乗場出入口４の間口方向へ延びている。出入口床部材６の剛性は、床板２の剛性よりも高くなっている。また、出入口床部材６の剛性は、台車や乗客の衝突による破損を防止可能な程度の剛性とされている。【００１０】
出入口床部材６の上方には、乗場出入口４を開閉するための一対の乗場の戸７が設けられている。各乗場の戸７は、乗場出入口４の間口方向へ往復動可能になっている。乗場出入口４は、各乗場の戸７の往復動により開閉される。【００１１】
出入口床部材６の下方には、乗場出入口４の間口方向へ延びる乗場敷居８が設けられている。乗場敷居８は、昇降路３の側壁にアンカーボルトにより固定された支持部材９により支持されている。乗場敷居８は、支持部材９にボルトにより固定されている。乗場敷居８には、上方が開放された溝部１０が設けられている。溝部１０は、乗場出入口４の間口方向へ延びている。【００１２】
各乗場の戸７の下端部には、複数（この例では、２つ）の戸の脚１１が設けられている。各戸の脚１１は、溝部１０に挿入される挿入体１２と、挿入体１２と乗場の戸７とを連結する連結部材１３とを有している。【００１３】
挿入体１２は、溝部１０内に配置されるドアガイドシュー１４と、ドアガイドシュー１４の上部に設けられ、連結部材１３に挿入体１２を取り付けるためのシュー取付部１５とを有している。【００１４】
連結部材１３は、乗場の戸７の下端部から挿入体１２へ出入口床部材６を跨ぐ形状とされている。即ち、連結部材１３の形状は、出入口床部材６の上方から、出入口床部材６を避けて出入口床部材６の昇降路３側を通り、出入口床部材６の下方に至る形状となっている（図２）。また、連結部材１３は、一体成形されている。さらに、連結部材１３は、上部取付部１６と、下部取付部１７と、出入口床部材６を避けて上部取付部１６と下部取付部１７とを繋ぐ繋ぎ部１８とを有している。【００１５】
上部取付部１６には、上下方向へ延びる複数の長穴１９が設けられている。各長穴１９は、上下方向へ互いに間隔を置いて上部取付部１６に設けられている。上部取付部１７は、各長穴１９を通された固定手段である複数のボルト２０により、乗場の戸７の下端部に固定されている。連結部材１３の乗場の戸７に対する上下方向についての位置は、ボルト２０の長穴１９に対する位置の調整により、調整可能になっている。挿入体１２の溝部１０に対する上下方向についての位置は、連結部材１３の乗場の戸７に対する位置の調整により、調整可能になっている。【００１６】
下部取付部１７には、複数のボルト穴２１が設けられている。シュー取付部１５は、各ボルト穴２１に螺着されるボルト２２により下部取付部１８に固定されている。【００１７】
繋ぎ部１８は、上部取付部１６の下端部及び下部取付部１７の上端部のそれぞれから水平に延びる上部水平部２３及び下部水平部２４と、上部水平部２３と下部水平部２４とを結ぶ垂直部２５とを有している。上部水平部２３は出入口床部材６の上方に配置され、下部水平部２４は出入口床部材６の下方に配置されている。また、垂直部２５は、出入口床部材６の昇降路３側に配置されている（図２）。【００１８】
連結部材１３の上部及び下部には、補強のための上部補強リブ２６及び下部補強リブ２７がそれぞれ設けられている。上部補強リブ２６は、上部取付部１６の側面と上部水平部２３の上面との間に固定されている。また、下部補強リブ２７は、下部取付部１７の側面と下部水平部２４の下面との間に固定されている。【００１９】
また、図示しないが、昇降路３を昇降されるかごには、かごへの乗降のためのかご出入口が設けられている。また、かごには、かご出入口を開閉するためのかごの戸が搭載されている。かごの戸は、かごに搭載されたモータの駆動により往復動される。かご出入口は、かごの戸の往復動により開閉される。乗場の戸７は、かごが各階に停止されているときに、係合装置によりかごの戸に係合されるようになっている。乗場の戸７は、係合装置の係合により、かごの戸とともに往復動可能になっている。【００２０】
なお、かご及び乗場１間を連通するエレベータの出入口は、かご出入口及び乗場出入口４を有している。また、エレベータの出入口を開閉するためのエレベータドアは、かごの戸及び乗場の戸７を有している。【００２１】
このようなエレベータの出入口装置では、出入口床部材６の上方に乗場の戸７が設けられ、出入口床部材６の下方に乗場敷居８が設けられており、乗場の戸７の下端部に設けられた戸の脚１１は、乗場敷居８の溝部１０に挿入される挿入体１２と、出入口床部材６を跨ぐ形状とされ、挿入体１２と乗場の戸７とを連結する連結部材１３とを有しているので、意匠性の低下の原因となる乗場敷居８を出入口床部材６により隠すことができ、意匠性の向上を図ることができる。また、連結部材１３は、出入口床部材６を跨ぐ形状とされているので、乗場の戸７と挿入体１２とを連結するための部品点数を少なくすることができ、製造コストの低減化を図ることができる。【００２２】
また、乗場敷居８に設けられた溝部１０は、上方へ開放されているので、既存の乗場敷居８を出入口床部材６の下方にそのまま配置することができ、既存のエレベータの出入口装置にこの発明を容易に適用することができる。【００２３】
また、連結部材１３の乗場の戸７に対する位置が調整可能になっており、挿入体１２の溝部１０に対する位置が、連結部材１３の乗場の戸７に対する位置の調整により、調整されるようになっているので、出入口床部材６の上方位置で挿入体１２の溝部１０への挿入量を調整することができる。これにより、挿入体１２の溝部１０への挿入量の調整作業をかご内あるいは乗場１から容易に行うことができる。【００２４】
また、出入口床部材６の剛性は、床板２の剛性よりも高くなっているので、台車等の衝突による出入口床部材６の破損等を防止することができ、エレベータの出入口装置の意匠性の低下の防止を図ることができる。【００２５】
また、連結部材１３は、上下方向へ間隔を置いて配置された複数のボルト２０により乗場の戸７の下端部に取り付けられているので、連結部材１３の乗場の戸７への取り付け部分、即ち上部取付部１６を変形しにくくすることができる。【００２６】
なお、上記の例では、乗場出入口４の下部に出入口床部材６が設けられ、出入口床部材６を跨いで溝部１０に挿入される戸の脚１１が乗場の戸７の下端部に設けられているが、かご出入口の下部に出入口床部材６を設け、かご出入口を開閉するためのかごの戸の下端部に戸の脚１１を設けてもよい。この場合、出入口床部材６の下方には、戸の脚１１が挿入される溝部が設けられたかご敷居が配置される。【００２７】
実施の形態２．
図３は、この発明の実施の形態２によるエレベータの出入口装置を示す要部断面図である。図において、乗場敷居８の上面には、連結部材１３の出入口床部材６から昇降路３側へ離れる方向への変位を規制するためのストッパ３１がボルト３２により固定されている。挿入体１２は、ストッパ３１による連結部材１３の変位量の規制により、溝部１０からの外れが防止されるようになっている。この例では、戸の脚１１の乗場敷居８に対する傾きの大きさは、挿入体１２が溝部１０から外れる傾きの大きさよりも小さくなるように、ストッパ３１により規制されるようになっている。【００２８】
ストッパ３１は、乗場敷居８に水平に固定された固定部３３と、固定部３３の昇降路３側の端部から上方へ延びる当接部３４とを有している。また、下部補強リブ２７には、連結部材１３の出入口床部材６から離れる方向への変位により、当接部３４に当接可能な傾斜部３５が設けられている。連結部材１３は、傾斜部３５の当接部３４への当接により、出入口床部材６から離れる方向への変位量が規制される。他の構成は実施の形態１と同様である。【００２９】
このようなエレベータの出入口装置では、出入口床部材６から離れる方向への連結部材１３の変位を規制するためのストッパ３１が乗場敷居８に設けられているので、乗場の戸７が出入口床部材６に対して傾いたときに、乗場の戸７の傾きの大きさを所定の範囲内に抑えることができ、例えば挿入体１２の溝部１０からの外れや挿入体１２の破損等を防止することができる。【００３０】
また、連結部材１３には、連結部材１３を補強するための下部補強リブ２７が設けられ、連結部材１３の変位が下部補強リブ２７のストッパ３１への当接により規制されるようになっているので、連結部材１３の強度を大きくすることができるとともに、連結部材１３の出入口床部材６から離れる方向への変位を簡単な構成で規制することができる。【００３１】
なお、上記の例では、乗場敷居８にストッパ３１が設けられているが、かご出入口の下部に出入口床部材６を設け、出入口床部材６の下方にかご敷居を設けているときには、かご敷居にストッパを設けてもよい。この場合、かごの戸の下端部には、出入口床部材６を跨いでかご敷居の溝部に挿入される戸の脚１１が設けられる。このようにしても、かご敷居の溝部からの戸の脚１１の外れを簡単な構成で防止することができる。【００３２】
また、各上記実施の形態では、挿入体１２が連結部材１３にボルト２２により固定されているが、連結部材１３のエレベータドアに対する位置の調整が可能になっているので、連結部材１３とシュー取付部１５とを互いに一体の部材（単一部材）とし、連結部材１３と挿入体１２とを互いに一体に構成するようにしてもよい。
【図１】
0004694503.tif 000002
【図２】
0004694503.tif 000003
【図３】
0004694503.tif 000004